(57)【特許請求の範囲】
【請求項１】
放射線検出装置に使用するコリメータ板を、対向する二方向から前記コリメータ板を保持する一対の保持体に設けられた溝部に取り付ける方法において、
前記コリメータ板を、前記保持部の溝部に挿入する工程と、
前記コリメータ板を挿入した溝部に、さらに、押圧部材を挿入する工程と
を有し、前記溝部は、前記コリメータ板と共に前記押圧部材が挿入され、かつ前記押圧部材を挿入したことによって前記コリメータ板が前記溝部の側壁に対して押圧して密着されるような、前記コリメータ板の厚さに対して幅広の幅を有するものである
ことを特徴とするコリメータ板の取付方法。
【請求項２】
前記コリメータ板が密着する溝部の側壁は、前記コリメータ板が所望の取付け向きとなるような方向に沿って形成されている
ことを特徴とする請求項１に記載のコリメータ板の取付方法。
【請求項３】
前記保持体には、前記溝部が複数形成されており、
複数の前記コリメータ板が所望のピッチで配置されるように、前記溝部のピッチが設定されている
ことを特徴とする請求項１又は２に記載のコリメータ板の取付方法。
【請求項４】
前記保持体には、前記溝部が複数形成されており、
前記コリメータ板は、前記各溝部に１つずつ挿入され、該各溝部における対向側壁のうち、前記コリメータ板を密着させる側壁が同一側である
ことを特徴とする請求項１〜３のいずれか一項に記載のコリメータ板の取付方法。
【請求項５】
前記保持体には、前記溝部が複数形成されており、
前記コリメータ板は、前記各溝部に２つずつ挿入され、該各溝部における対向側壁のそれぞれに、前記各コリメータ板が密着している
ことを特徴とする請求項１〜３のいずれか一項に記載のコリメータ板の取付方法。
【請求項６】
請求項１〜５のいずれか一項に記載のコリメータ板の取付方法により製造されたことを特徴とするコリメータ板の取付構造。
【請求項７】
請求項６のいずれか一項に記載のコリメータ板の取付構造を有することを特徴とする放射線検出装置。
【請求項８】
請求項７に記載の放射線検出装置を有することを特徴とする放射線診断装置。
【発明の詳細な説明】
【技術分野】
【０００１】
本発明は、放射線検出装置において散乱放射線を除去するコリメータ板の取付構造、放射線検出装置及び放射線診断装置に関する。
【背景技術】
【０００２】
放射線診断装置の一例であるＸ線ＣＴ装置は、Ｘ線管から照射されて被検体を透過したＸ線をＸ線検出装置で検出し、被検体の断層画像などを作成するようになっている。このようなＸ線ＣＴ装置におけるＸ線検出装置は、被検体を透過した際に生じる散乱Ｘ線を除去するためのコリメータ板を備えている。このコリメータ板は、一対の円弧状の保持体の間に取り付けられるようになっている。具体的には、前記コリメータ板は、前記一対の保持体の互いに対向する面に形成された溝部に挿入され、接着固定されている（例えば、特許文献１参照）。
【特許文献１】特開２００３−２０７５７５号公報
【発明の開示】
【発明が解決しようとする課題】
【０００３】
ところで、前記コリメータ板は、Ｘ線管から照射されたＸ線のうち、被検体内を直進したＸ線のみがＸ線検出素子で検出されるように、被検体内で散乱したＸ線を除去するものであるので、前記コリメータ板の板面と平行な方向がＸ線管を向くようにして取り付けられる。従って、このような取付方向で前記コリメータ板が取り付けられるように、前記溝部が形成されている。
【０００４】
また、前記コリメータ板は、チャンネル方向（被検体の体軸方向に対して直交する方向）に、Ｘ線検出素子であるシンチレータの幅に応じたピッチで複数設けられる。従って、このようなピッチで前記コリメータ板が配置されるように、前記溝部が形成されている。
【０００５】
ここで、前記各コリメータ板の板厚や前記各溝部の幅にはばらつきがあるため、前記溝部に挿入された前記コリメータ板と前記溝部の側壁との間には隙間が生じることがある。このような隙間が生じた状態で前記コリメータ板を接着した場合、取付精度が悪くなってしまう。
【０００６】
そこで、前記溝部に挿入された前記コリメータ板と側壁との間の隙間をできるだけ小さくするため、前記コリメータ板と前記保持体とを多数用意し、各コリメータ板の厚さと各保持体に形成された各溝部の幅とを測定し、隙間ができるだけ小さくなるようなコリメータ板と溝部との組み合わせを決定する手法をとることも考えられる。しかし、このような手法では、できるだけ最適な組み合わせを得るために、前記コリメータ板と前記保持体の在庫を多く抱えておく必要があり、コスト高につながることになる。また、最適な組み合わせが見つからないコリメータ板又は保持体については、最終的には廃棄することになってしまう。さらに、最適な組み合わせを得たとしても、隙間を完全になくすことができるわけではない。
【０００７】
本発明が解決しようとする課題は、コリメータ板の板厚や溝部の幅のばらつきなどにかかわらず、高精度かつ容易にコリメータ板を取り付けることができるコリメータ板の取付構造、放射線検出装置及び放射線診断装置を提供することである。
【課題を解決するための手段】
【０００８】
この発明は、前記課題を解決するためになされたものであり、第１の観点の発明は、放射線検出装置における保持体に取り付けられるコリメータ板の取付構造であって、前記保持体に形成された溝部に前記コリメータ板が挿入され、前記溝部に挿入された前記コリメータ板が、押圧部材によって前記溝部の側壁に対して押圧して密着されていることを特徴とするコリメータ板の取付構造である。
【０００９】
第２の観点の発明は、第１の観点の発明において、前記コリメータ板が密着する溝部の側壁は、前記コリメータ板が所望の取付け向きとなるような方向に沿って形成されていることを特徴とするコリメータ板の取付構造である。
【００１０】
第３の観点の発明は、第１又は２の観点の発明において、前記保持体には、前記溝部が複数形成されており、複数の前記コリメータ板が所望のピッチで配置されるように、前記溝部のピッチが設定されていることを特徴とするコリメータ板の取付構造である。
【００１１】
第４の観点の発明は、第１〜３のいずれか一の観点の発明において、前記保持体には、前記溝部が複数形成されており、前記コリメータ板は、前記各溝部に１つずつ挿入され、該各溝部における対向側壁のうち、前記コリメータ板を密着させる側壁が同一側であることを特徴とするコリメータ板の取付構造である。
【００１２】
第５の観点の発明は、第１〜３のいずれか一の観点の発明において、前記保持体には、前記溝部が複数形成されており、前記コリメータ板は、前記各溝部に２つずつ挿入され、該各溝部における対向側壁のそれぞれに、前記各コリメータ板が密着していることを特徴とするコリメータ板の取付構造である。
【００１３】
第６の観点の発明は、第１〜５のいずれか一の観点の発明において、前記押圧部材は、前記コリメータ板とともに前記溝部に挿入されるものであり、前記溝部の幅は、前記押圧部材を挿入できるように、前記コリメータ板の厚さに対して幅広になっていることを特徴とするコリメータ板の取付構造である。
【００１４】
第７の観点の発明は、第１〜６のいずれか一の観点の発明に係るコリメータ板の取付構造を有することを特徴とする放射線検出装置である。
【００１５】
第８の観点の発明は、第７の観点の発明に係る放射線検出装置を有することを特徴とする放射線診断装置である。
【発明の効果】
【００１６】
第１の観点の発明によれば、前記コリメータ板は、前記押圧部材により前記溝部の側壁に対して押圧され密着した状態で前記保持体に取り付けられるので、前記コリメータ板が密着する側壁と前記コリメータ板との間の隙間をなくすことができ、前記コリメータ板の板厚や前記溝部の幅のばらつきなどにかかかわらず、高精度かつ容易に前記コリメータ板を取り付けることができる。そして、従来の手法とは異なり、在庫や廃棄の問題を生じることはない。
【００１７】
第２の観点の発明によれば、前記コリメータ板が密着する側壁が、前記コリメータ板が所望の取付け向きとなるような方向に沿って形成されているので、このような側壁に密着させた状態で取り付けられた前記コリメータ板を、所望の取付方向に向いた状態にすることができる。
【００１８】
第３の観点の発明によれば、複数の前記コリメータ板が所望のピッチで配置されるように前記溝部のピッチが設定されているので、このような溝部の側壁に密着させた状態で取り付けられた前記コリメータ板のピッチを、所望のピッチにすることができる。
【００１９】
第４の観点の発明によれば、前記コリメータ板が、前記各溝部における対向側壁のうち、同一側に密着した状態で取り付けられる。
【００２０】
第５の観点の発明によれば、前記各溝部には、２つのコリメータ板が、前記各溝部における対向側壁のそれぞれに密着した状態で取り付けられる。
【００２１】
第６の観点の発明によれば、前記コリメータ板とともに前記溝部に挿入された前記押圧部材により、前記コリメータ板を前記溝部の側壁に押圧することができる。そして、前記溝部の幅が、前記コリメータ板の厚さに対して幅広になっているので、前記コリメータ板を前記溝部へ容易に挿入することができる。
【００２２】
第７の観点の発明によれば、第１〜６の観点の発明の効果を有する放射線検出装置を得ることができる。
【００２３】
第８の観点の発明によれば、第７の観点の発明の効果を有する放射線診断装置を得ることができる。
【発明を実施するための最良の形態】
【００２４】
以下、本発明の実施形態について図面に基づいて詳細に説明する。以下の実施形態では、本発明を、放射線検出装置のうちのＸ線検出装置及び放射線診断装置のうちのＸ線ＣＴ装置に適用した場合について説明する。
【００２５】
（第一実施形態）
先ず、第一実施形態について説明する。図１は、第一実施形態のコリメータ板の取付構造を有するＸ線検出装置とＸ線管とを示す図、図２は、図１に示すＸ線検出装置の一部拡大平面図、図３は、図１に示すコリメータユニットの一部拡大斜視図である。
【００２６】
Ｘ線検出装置１及びＸ線管２は、Ｘ線ＣＴ装置（全体構成は図示省略）のガントリ（図示省略）において、互いに対向するようにして設けられており、前記Ｘ線管２から照射されたＸ線が、前記Ｘ線検出装置１で検出されるようになっている。前記Ｘ線検出装置１は、コリメータユニット３と、このコリメータユニット３に対し、前記Ｘ線管２が設けられた側とは反対側に設けられた複数の検出器ユニット４とを備えている。
【００２７】
前記コリメータユニット３は、スライス方向（被検体の体軸方向）に互いに対向するようにして配置された一対の円弧状の保持体５，６と、この一対の保持体５，６の間に取り付けられたコリメータ板７とを有している。また、前記検出器ユニット４は、Ｘ線を受けると発光するシンチレータ（図示省略）と、このシンチレータが発光した光を受光して信号電流を発生するフォトダイオード（図示省略）とを有している。
【００２８】
前記コリメータ板７は、チャンネル方向に複数配置されている。前記コリメータ板７の取付構造について詳細に説明する。前記保持体５，６の対向面５ａ，６ａには、溝部８が複数形成されている。この溝部８は、本例では前記コリメータ板７の厚さの約２倍の溝幅になっている。そして、前記コリメータ板７は、前記各溝部８に、それぞれ押圧部材９とともに挿入され、接着固定されている。
【００２９】
前記押圧部材９は、断面略Ｕ字形状になっており弾性を有している。この押圧部材９は、前記コリメータ板７の幅と同じ長さになっている。そして、この押圧部材９が、前記コリメータ板７とともに前記溝部８に挿入されると、この押圧部材９の弾性により、前記溝部８における互いに対向する側壁８ａ，８ｂのうち、一方側の側壁８ａに対して前記コリメータ板７が押圧され密着するようになっている。
【００３０】
前記押圧部材９は、本例では例えばゴムなどの弾性を有する材質で断面略Ｕ字形状に形成されるが、本発明ではこれに限られるものではない。例えば、前記押圧部材９の形状は、断面略Ｖ字形状や断面円形状などであってもよく、また材質にあっても、繊維を編んで棒状にした弾性棒状体であってもよい。また、前記押圧部材９は、金属線を螺旋状に巻回して形成された弾性を有するスパイラルコイルであってもよい。
【００３１】
さらに、前記押圧部材９は、弾性を有する材質で形成されたものに限られない。図４は、他例の押圧部材９を有するコリメータユニット３の一部拡大図であり、この図４に示すように、前記押圧部材９を、テーパ面９ａを有する正面視台形形状の硬い材質の柱状体としてもよい。この場合、前記押圧部材９を前記溝部８へ上から押し込んで前記テーパ面９ａを前記側壁８ｂの上部に押し付けることにより、前記コリメータ板７を前記押圧部材９によって前記側壁８ａに対して押圧して密着させる。
【００３２】
前記溝部８の一方側の側壁８ａの形成方向ｄは、前記Ｘ線管２の方向になっており、前記側壁８ａは前記コリメータ板７が所望の取付け向きとなるような方向に沿って形成されている。これにより、前記側壁８ａに密着させて取り付けられた前記コリメータ板７が、所望の取付け向き、すなわち前記コリメータ板７の板面と平行な方向が前記Ｘ線管２の方向に向くようになっている。ちなみに、前記側壁８ｂは、前記側壁８ａと平行に形成されている。また、前記各溝部８は、放射状に形成されており、前記各コリメータ板８は、前記保持体５，６において放射状に取り付けられている。
【００３３】
また、前記溝部８のピッチｐは、前記コリメータ板７が所望のピッチ、すなわち前記シンチレータのチャンネル方向の幅に応じたピッチで配置されるようなピッチに設定されている。ここで、本例では、前記各溝部８における対向側壁８ａ，８ｂのうち、前記コリメータ板７を密着させる側壁は、前記側壁８ａであり同一側になっている。従って、前記側壁８ａに密着させて取り付けられた前記コリメータ板７のピッチが、前記シンチレータのチャンネル方向の幅に応じたピッチになるように、前記溝部８のピッチｐが設定されている。
【００３４】
このようなコリメータ板７の取付構造を有するコリメータユニット３を製造するには、先ず前記一対の保持体５，６の長手方向の両端部において、これら保持体５，６の間に固定板（図示省略）を介在させた状態で、これら保持体５，６同士を固定する。このとき、前記保持体５，６の対向面５ａ，６ａにそれぞれ形成された溝部８，８が位置合わせされた状態で、前記保持体５，６同士の固定を行なう。そして、前記対向面５ａ，６ａの溝部８，８に前記コリメータ板７を挿入する。このとき、前記溝部８の幅は、前記コリメータ板７の厚さよりも２倍の溝幅になっているので、前記コリメータ板７を容易に挿入することができる。
【００３５】
前記溝部８には、前記コリメータ板７を挿入した後、前記押圧部材９を挿入する。そして、前記溝部８内の前記コリメータ板７と前記押圧部材９とを接着して前記溝部８内に固定することにより、前記コリメータ板７の取り付けが完了する。
【００３６】
以上説明した本例の取付構造によれば、前記コリメータ板７は、前記押圧部材９により前記溝部８の側壁８ａに対して押圧され密着した状態で前記保持体５，６に取り付けられるので、前記コリメータ板７が密着する側壁８ａと前記コリメータ板７との間の隙間をなくすことができ、前記コリメータ板７の板厚や前記溝部８の幅のばらつきなどにかかわらず、高精度かつ容易に前記コリメータ板７を取り付けることができる。そして、前記側壁８ａは、前記Ｘ線管２の方向に形成されているので、このような側壁８ａに密着させた状態で取り付けられた前記コリメータ板７を、所望の方向に向いた状態にすることができる。また、前記溝部８のピッチｐは、前記コリメータ板７が、前記シンチレータの幅に応じたピッチで配置されるように設定されているので、このような前記溝部８の側壁８ａに密着させた状態で取り付けられた前記コリメータ板７のピッチを所望のピッチにすることができる。
【００３７】
また、前記コリメータ板７を、前記溝部８において前記押圧部材９によって前記側壁８ａに密着させるようになっているので、前記溝部８の幅を前記コリメータ板７の厚さに合わせる必要は無く、前記コリメータ板７の厚さに比べて、前記溝部８の幅を広くすることができる。従って、従来よりも前記溝部８へのコリメータ板７の挿入を容易に行なうことができる。
【００３８】
（第二実施形態）
次に、本発明の第二実施形態について説明する。図５は、第二実施形態のコリメータ板の取付構造を示す一部拡大斜視図である。
【００３９】
本例の取付構造では、前記溝部８は、２つの前記コリメータ板７，７と前記押圧部材９とを挿入できるような溝幅になっており、前記溝部８には、前記コリメータ板７が２つ挿入されている。そして、これらコリメータ板７，７の間に前記押圧部材９が挿入されており、この押圧部材９の弾性により、前記各コリメータ板７が、側壁８ａ，８ｂのそれぞれに押圧され密着している。ちなみに、本例では、前記押圧部材９の形状は、断面略Ｃ字形状になっている。
【００４０】
本例では、前記側壁８ａ，８ｂのそれぞれの形成方向ｄが、ともに前記Ｘ線管２の方向になっている。すなわち、第一実施形態と異なり、前記側壁８ａ，８ｂは平行になっておらず、前記Ｘ線管２の方向に向くように放射状に形成されている。これにより、これら側壁８ａ，８ｂにそれぞれ密着させて取り付けられた前記コリメータ板７が所望の向き（前記Ｘ線管２の方向）で取り付けられるようになっている。
【００４１】
また、前記溝部８のピッチｐは、前記側壁８ａ，８ｂのそれぞれに密着させて取り付けられた前記コリメータ板７が、所望のピッチ（前記シンチレータの幅に応じたピッチ）で配置されるようなピッチに設定されている。
【００４２】
以上説明した本例の取付構造によっても、第一実施形態と同様の効果を得ることができる。
【００４３】
以上、本発明を前記各実施形態によって説明したが、この発明はこれらに限られるものではなく、本発明の主旨を変更しない範囲で種々変更実施可能なことはもちろんである。例えば、本発明は、ＰＥＴ装置やＳＰＥＣＴ装置など、Ｘ線ＣＴ装置以外の放射線診断装置にも適用することができる。
【図面の簡単な説明】
【００４４】
【図１】第一実施形態のコリメータ板の取付構造を有するＸ線検出装置とＸ線管とを示す図である。
【図２】図１に示すＸ線検出装置の一部拡大平面図である。
【図３】図１に示すコリメータユニットの一部拡大斜視図である。
【図４】他例の押圧部材を有するコリメータユニットの一部拡大図である。
【図５】第二実施形態のコリメータ板の取付構造を示す一部拡大斜視図である。
【符号の説明】
【００４５】
１  Ｘ線検出装置
５，６  保持体
７  コリメータ板
８  溝部
８ａ，８ｂ  側壁
９  押圧部材
【図１】
0005260140.tif 000002
【図２】
0005260140.tif 000003
【図３】
0005260140.tif 000004
【図４】
0005260140.tif 000005
【図５】
0005260140.tif 000006